(57)【要約】【課題】二軸同期操作の失敗がないようにして、その成立性の迅速化を図ったタービン発電機のターニング装置を提供する。【解決手段】本発明に係るタービン発電機のターニング装置は、プライマリ機用発電機ロータ１から検出した磁極検出信号による回転速度とセカンダリ機用発電機ロータ２から検出した磁極検出信号による回転速度との偏差が予め定められた範囲内でないときでも、前記各発電機ロータ１，２を駆動する駆動発電機６ａ，６ｂのいずれか一方に変更駆動力を与える二軸同期制御装置１２、可変速制御装置１１、切替器１３を備えた。【選択図】  図１
2005214145.tif 000002
【特許請求の範囲】
【請求項１】
プライマリ機用発電機ロータから検出した磁極検出信号による回転速度とセカンダリ機用発電機ロータから検出した磁極検出信号による回転速度とのそれぞれを表示させるとともに、前記検出信号による回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、可変速制御装置に同期強制指令を出させる二軸同期制御装置と、この二軸同期制御装置からの指令に基づいて前記可変速制御装置からの変更駆動力をプライマリ機用の駆動電動機およびセカンダリ機用の駆動電動機のうち、いずれか一方を選択して与える切替器とを備えたことを特徴とするタービン発電機のターニング装置。
【請求項２】
プライマリ機用発電機ロータから検出した磁極検出信号による回転速度とセカンダリ機用発電機ロータから検出した磁極検出信号による回転速度とのそれぞれを表示させるとともに、前記検出信号による回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、プライマリ機用の駆動電動機およびセカンダリ機用の駆動電動機の個々に設けた可変速制御装置に同期強制指令を出させる二軸同期制御装置と、この二軸同期制御装置からの指令に基づいて前記可変速制御装置からの変更駆動力を前記プライマリ機用の駆動電動機および前記セカンダリ機用の個々に与える構成にしたことを特徴とするタービン発電機のターニング装置。
【請求項３】
プライマリ機用発電機ロータから検出した磁極検出信号による回転速度とセカンダリ機用発電機ロータから検出した磁極検出信号による回転速度とのそれぞれを表示させるとともに、前記検出信号の回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、可変速制御装置に同期強制指令を出させる二軸同期制御装置と、この二軸同期制御装置からの指令に基づいて前記可変速制御装置からの変更駆動力をプライマリ機用の駆動電動機およびセカンダリ機用の駆動電動機のうち、いずれか一方を選択して与える切替器と、前記プライマリ機用発電機ロータから検出した磁極検出信号による回転速度と前記セカンダリ機用発電機ロータから検出した磁極検出信号による回転速度とを基に前記プライマリ機用ロータに設けた駆動電動機および前記セカンダリ機用発電機ロータに設けた駆動電動機のうち、いずれか一方に変更駆動力を与える前記可変速制御装置と、この可変速制御装置に前記磁極検出信号による回転速度に基づいて変更駆動指令を与えるターニング制御装置とを備えたことを特徴とするタービン発電機のターニング装置。
【請求項４】
プライマリ機用発電機ロータから検出した磁極検出信号による回転速度とセカンダリ機用発電機ロータから検出した磁極検出信号による回転速度とのそれぞれを表示させるとともに、前記検出信号の回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、プライマリ機用の駆動電動機およびセカンダリ機用の駆動電動機の個々に設けた可変速制御装置に同期強制指令を出させる二軸同期制御装置と、この二軸同期制御装置からの指令に基づいて前記可変速制御装置からの変更駆動力を前記プライマリ機用の駆動電動機および前記セカンダリ機用の駆動電動機の個々に与える構成にする一方、前記プライマリ機用発電機ロータから検出した磁極検出信号による回転速度と前記セカンダリ機用発電機ロータから検出した磁極検出信号による回転速度とを基に前記プライマリ機用ロータに設けた駆動電動機および前記セカンダリ機用発電機ロータに設けた駆動電動機のうち、いずれか一方に変更駆動力を与える前記可変速制御装置と、この可変速制御装置に前記磁極検出信号による回転速度に基づいて変更駆動指令を与えるターニング制御装置とを備えたことを特徴とするタービン発電機のターニング装置。
【発明の詳細な説明】
【技術分野】
【０００１】
本発明は、タービン発電機のターニング装置に係り、特にクロスコンパウンドタービン発電機に好適なタービン発電機のターニング装置に関する。
【背景技術】
【０００２】
例えば、蒸気タービンプラントでは、設置面積の制約の関係から、タンデムコンパウンド機に代ってクロスコンパウンド機を使用することがある。
【０００３】
このクロスコンパウンド機は、高圧タービン、中圧タービン、第１発電機を互いに軸結合させたプライマリ機と、低圧タービン、第２発電機を互いに軸結合させたセカンダリ機との二軸にして構成し、高圧タービン、中圧タービン、低圧タービン、発電機を互いに軸結合させたタンデムコンパウンド機よりも大幅に軸スパンを短くしている。
【０００４】
また、クロスコンパウンド機は、プライマリ機用タービン発電機ロータおよびセカンダリ機用タービン発電機ロータのそれぞれに運転中に生ずる熱的な曲りや運転中の温度と停止中の温度との差に基づく曲りが生じ、放置したまま運転すると、ラビングや振動発生の要因になるため、起動前または起動過程中、プライマリ機用タービン発電機ロータおよびセカンダリ機用タービン発電機ロータのそれぞれを、例えば１〜３ｒｐｍまたは、例えば５〜１０ｒｐｍの回転数で２段階に分け、順次連続して回転させ、各タービン発電機ロータの曲りを取り除くターニング装置を備えている。
【０００５】
ターニング装置は、プライマリ機用タービン発電機ロータと、セカンダリ機用タービン発電機ロータとのそれぞれに設けられるとともに、各タービン発電機ロータを駆動する誘導発電機と歯車列とで構成する減速機等を備え、第１および第２発電機の同期軸位置を一致させた後、界磁遮断器を投入し、各発電機を同期させる二軸同期操作を行っている。
【０００６】
具体的には、プライマリ機用タービン発電機ロータとセカンダリ機用タービン発電機ロータとのそれぞれの磁極（Ｎ極，Ｓ極）位置を合わせるとともに、磁極位置検出のために各タービン発電機ロータに回転数検出用の歯車とこの外側に回転数検出器を設け、歯車の山と谷の位置を回転中に正弦波の周波数信号として検出する一方、各磁極位置を指示器やランプ表示でモニタリングし、両方の磁極が一致したとき、第１発電機および第２発電機のそれぞれの励磁を開始する
なお、プライマリ機用タービン発電機ロータと、セカンダリ機用タービン発電機ロータとのそれぞれに備えられるターニング装置は、プライマリ機およびセカンダリ機のそれぞれの構造が異なるため、ターニング回転数に差を持たせ、磁極が一致するタイミングも周期的にしている。
【０００７】
また、この種のタイプに適用するターニング装置は、長期停止中、プライマリ機用タービン発電機ロータおよびセカンダリ機用タービン発電機ロータのそれぞれの自重による撓みに伴う曲りの防止に、第１発電機、第２発電機のそれぞれに定期的に磁極反転操作を行うためにも用いられている。
【０００８】
そして、クロスコンパウンド機のターニング装置として開示されている特許公報には、例えば、特開平１０−２４３６９７号公報がある。
【特許文献１】特開平１０−２４３６９７号公報
【発明の開示】
【発明が解決しようとする課題】
【０００９】
ところで、従来のターニング装置では、プライマリ機とセカンダリ機との二軸同期を行う場合、プライマリ機の回転数とセカンダリ機の回転数とを異ならしめていたため、回転中、両者の磁極が一致するタイミングに長時間を要することがあった。すなわち、二軸同期操作を失敗した場合、次の同期タイミングまでタイロムスになっていた。
【００１０】
また、クロスコンパウンド機の長期停止の場合、プライマリ機用タービン発電機ロータ、セカンダリ機用タービン発電機ロータの自重による撓みに伴う曲り防止のため、第１および第２発電機の磁極位置反転操作を行っているが、この反転位置決めの際、ターニング装置の駆電動機（誘導電動機）を短時間でＯＮ−ＯＦＦ動作を繰り返すインチング操作を行っている。
【００１１】
このため、駆動電動機の始動電流が遮断し、電磁接触器の損傷や操作時間の浪費等改善すべき余地が残されていた。
【００１２】
本発明は、このような事情に基づいてなされたものであり、二軸同期操作の失敗がないようにして、その成立性の迅速化を図ったタービン発電機のターニング装置を提供することを目的とする。
【００１３】
また、他の目的は、磁極反転操作の際、操作機器の安全性の確保と操作の迅速性を図ったタービン発電機のターニング装置を提供することにある。
【課題を解決するための手段】
【００１４】
本発明に係るタービン発電機のターニング装置は、上述の目的を達成するために、請求項１に記載したように、プライマリ機用発電機ロータから検出した磁極検出信号による回転速度とセカンダリ機用発電機ロータから検出した磁極検出信号による回転速度とのそれぞれを表示させるとともに、前記検出信号による回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、可変速制御装置に同期強制指令を出させる二軸同期制御装置と、この二軸同期制御装置からの指令に基づいて前記可変速制御装置からの変更駆動力をプライマリ機用の駆動電動機およびセカンダリ機用の駆動電動機のうち、いずれか一方を選択して与える切替器とを備えたものである。
【００１５】
また、本発明に係るタービン発電機のターニング装置は、上述の目的を達成するために、請求項２に記載したように、プライマリ機用発電機ロータから検出した磁極検出信号による回転速度とセカンダリ機用発電機ロータから検出した磁極検出信号による回転速度とのそれぞれを表示させるとともに、前記検出信号による回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、プライマリ機用の駆動電動機およびセカンダリ機用の駆動電動機の個々に設けた可変速制御装置に同期強制指令を出させる二軸同期制御装置と、この二軸同期制御装置からの指令に基づいて前記可変速制御装置からの変更駆動力を前記プライマリ機用の駆動電動機および前記セカンダリ機用の個々に与える構成にしたものである。
【００１６】
また、本発明に係るタービン発電機のターニング装置は、上述の目的を達成するために、請求項３に記載したように、プライマリ機用発電機ロータから検出した磁極検出信号による回転速度とセカンダリ機用発電機ロータから検出した磁極検出信号による回転速度とのそれぞれを表示させるとともに、前記検出信号の回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、可変速制御装置に同期強制指令を出させる二軸同期制御装置と、この二軸同期制御装置からの指令に基づいて前記可変速制御装置からの変更駆動力をプライマリ機用の駆動電動機およびセカンダリ機用の駆動電動機のうち、いずれか一方を選択して与える切替器と、前記プライマリ機用発電機ロータから検出した磁極検出信号による回転速度と前記セカンダリ機用発電機ロータから検出した磁極検出信号による回転速度とを基に前記プライマリ機用ロータに設けた駆動電動機および前記セカンダリ機用発電機ロータに設けた駆動電動機のうち、いずれか一方に変更駆動力を与える前記可変速制御装置と、この可変速制御装置に前記磁極検出信号による回転速度に基づいて変更駆動指令を与えるターニング制御装置とを備えたものである。
【００１７】
また、本発明に係るタービン発電機のターニング装置は、上述の目的を達成するために、請求項４に記載したように、プライマリ機用発電機ロータから検出した磁極検出信号による回転速度とセカンダリ機用発電機ロータから検出した磁極検出信号による回転速度とのそれぞれを表示させるとともに、前記検出信号の回転速度が同期しているか、またはその偏差が予め定められた範囲内のとき、二軸同期マスタから界磁遮断器に同期投入指令を出させるターニング同期監視装置と、このターニング同期監視装置に接続され、前記検出信号による回転速度の偏差が予め定められた範囲内に入っていなくとも、プライマリ機用の駆動電動機およびセカンダリ機用の駆動電動機の個々に設けた可変速制御装置に同期強制指令を出させる二軸同期制御装置と、この二軸同期制御装置からの指令に基づいて前記可変速制御装置からの変更駆動力を前記プライマリ機用の駆動電動機および前記セカンダリ機用の駆動電動機の個々に与える構成にする一方、前記プライマリ機用発電機ロータから検出した磁極検出信号による回転速度と前記セカンダリ機用発電機ロータから検出した磁極検出信号による回転速度とを基に前記プライマリ機用ロータに設けた駆動電動機および前記セカンダリ機用発電機ロータに設けた駆動電動機のうち、いずれか一方に変更駆動力を与える前記可変速制御装置と、この可変速制御装置に前記磁極検出信号による回転速度に基づいて変更駆動指令を与えるターニング制御装置とを備えたものである。
【発明の効果】
【００１８】
本発明に係るタービン発電機のターニング装置は、プライマリ機用発電機ロータから検出した磁極検出信号による回転速度と、セカンダリ機用発電機ロータから検出した磁極検出信号による回転速度との偏差が予め定められた範囲に入っていなくとも、前記それぞれの検出信号に基づいて前記プライマリ機用発電機ロータを駆動する駆動電動機と、前記セカンダリ機用発電機ロータを駆動する駆動電動機のうち、いずれか一方に変更駆動力を与える可変速制御装置と、この可変速制御装置に変更駆動力指令を与える二軸同期制御装置とを備えたので、二軸同期操作の失敗のない、より一層の確実性を増し、同期成立性の迅速化を図ることができる。
【発明を実施するための最良の形態】
【００１９】
以下、本発明に係るタービン発電機のターニング装置の実施形態を図面および図面に付した符号を引用して説明する。
【００２０】
図１は、クロスコンパウンド機に適用する本発明に係るタービン発電機のターニング装置の第１実施形態を示す概略系統ブロック図である。
【００２１】
本実施形態に係るタービン発電機のターニング装置は、プライマリ機用発電機ロータ１とセカンダリ機用発電機ロータ２とのそれぞれにプライマリ機用ターニング装置３、セカンダリ機用ターニング装置４をそれぞれ備えている。
【００２２】
プライマリ機用ターニング装置３およびセカンダリ機用ターニング装置４のそれぞれは、プライマリ機用発電機ロータ１、セカンダリ機用発電機ロータ２のそれぞれに対し、歯車列５ａ，５ｂを介装して駆動発電機（誘導電動機）６ａ，６ｂのそれぞれを設けるとともに、プライマリ機用発電機ロータ１、セカンダリ機用発電機ロータ２のそれぞれの周方向に沿って複数のプライマリ機用磁極（回転数）検出器７ａ，７ｂ，…と複数のセカンダリ機用磁極（回転数）検出器８ａ，８ｂ，…とのそれぞれを備えている。
【００２３】
また、本実施形態に係るタービン発電機のターニング装置は、プライマリ機用磁極（回転数）検出器７ａ，７ｂ，…およびセカンダリ機用磁極（回転数）検出器８ａ，８ｂ，…のそれぞれで検出した磁極検出信号を同期指示計９に送り、ここで、外円指示部９ａおよび内円指示部９ｂのうち、例えば、外円指示部９ａに回転速度の速い方の磁極表示信号を表示させ、例えば、内円指示部９ｂに回転速度の遅い方の磁極表示信号を表示させる一方、検出した磁極検出信号の偏差が予め定められた範囲内に入っているとき、二軸同期マスタ１４から界磁遮断器（図示せず）に同期投入指令を出させるターニング同期監視装置１０を備えている。
【００２４】
ターニング同期監視装置１０は、また、検出した磁極検出信号の偏差が予め定められた範囲内に入っていなくとも、例えばインバータ等の可変速制御装置１１に同期強制指令を出す二軸同期制御装置１２と、この二軸同期制御装置１２から可変速制御装置１１に与えられた指令に基づいて駆動力（回転速度）を変更し、この変更駆動力（回転速度）指令をプライマリ機用の駆動発電機６ａおよびセカンダリ機用の駆動発電機６ｂのうち、いずれか一方を選択して与える切替器１３とを備えている。
【００２５】
このように、本実施形態に係るタービン発電機のターニング装置は、プライマリ機用発電機ロータ１およびセカンダリ機用発電機ロータ２のそれぞれから検出した磁極検出信号を同期指示計９に表示させ、表示させた信号の回転速度が一致したとき、または偏差が出てもその偏差が予め定められた範囲内のとき、二軸同期マスタ１４から界磁遮断器に投入指令を出させるターニング同期監視装置１０を備えるとともに、プライマリ機用発電機ロータ１およびセカンダリ機用発電機ロータ２のそれぞれから検出した磁極検出信号による回転速度が一致しなくとも、またはその偏差が予め定められた範囲内になくとも、ターニング同期監視装置１０からの信号に基づいて可変速制御装置１１に同期強制指令を出させる二軸同期制御装置１２を備え、この二軸同期制御装置１２からの指令に基づいて可変速制御装置１１からの変更駆動力をプライマリ機用またはセカンダリ機用の駆動電動機６ａ，６ｂのうち、いずれか一方を選択して与える切替器１３を備える構成にしたので、二軸同期操作の失敗のない、より一層の確実性を増し、同期成立性の迅速化を図ることができ、失敗のない、操作機器の安全性と操作の軽減化、迅速化を図ることができる。
【００２６】
図２は、クロスコンパウンド機に適用する本発明に係るタービン発電機のターニング装置の第２実施形態を示す概略系統ブロック図である。
【００２７】
本実施形態に係るタービン発電機のターニング装置は、プライマリ機用発電機ロータ１およびセカンダリ機用発電機ロータ２のそれぞれから検出した磁極検出信号を同期指示計９に表示させ、表示させた信号の回転速度が一致したとき、または偏差が出てもその偏差が予め定められた範囲内のとき、二軸同期マスタ１４から界磁遮断器に同期投入指令を出させるターニング同期監視装置１０を備えるとともに、プライマリ機用発電機ロータ１およびセカンダリ機用発電機ロータ２のそれぞれから検出した磁極検出信号による回転速度が一致しなくとも、またはその偏差が予め定められた範囲内になくとも、ターニング同期監視装置１０からの信号に基づき、プライマリ機用およびセカンダリ機用の駆動電動機６ａ，６ｂのそれぞれ個々に設けた可変速制御装置１１ａ，１１ｂに同期強制指令を出させる二軸同期制御装置１２を備え、この二軸同期制御装置１２からの指令に基づき可変速制御装置１１ａ，１１ｂのうち、いずれか一方からの変更駆動力をプライマリ機用またはセカンダリ機用の駆動発電機６ａ，６ｂのうち、いずれか一方に与える構成になっている。
【００２８】
なお、他の構成は、第１実施形態の構成と同一なので、重複説明を省略する。
【００２９】
このように、本実施形態に係るタービン発電機のターニング装置は、二軸同期制御装置１２からの指令に基づき、プライマリ機用およびセカンダリ機用の駆動電動機６ａ，６ｂのそれぞれ個々に変更駆動力を与える可変速制御装置１１ａ，１１ｂを備えたので、二軸同期操作の失敗のない、より一層の確実性を増し、同期成立性の迅速化を図ることができ、失敗のない、操作機器の安全性と操作の軽減化、迅速化を図ることができる。
【００３０】
図３は、タンデムコンパウンド機に適用する本発明に係るタービン発電機のターニング装置の第３実施形態を示す概略系統ブロック図である。
【００３１】
本実施形態に係るタービン発電機のターニング装置は、タービン発電機の運転停止中に自重等によってタービン発電機ロータに撓みに伴う曲りの発生を抑制するために、磁極反転操作を自動的に行うことができるようにしたものであり、発電機ロータ１５に歯車列１６、駆動電動機（誘導電動機）１７からなるターニング装置１８を備えるとともに、発電機ロータ１５の周方向に沿って設けた複数の磁極（回転数）検出器１９ａ，１９ｂ，…から検出した磁極検出信号による回転速度を基にして駆動電動機１７に変更駆動力を与える、例えばインバータ等の可変速制御装置１１と、この可変速制御装置１１に前記検出信号に基づいて変更駆動力指令を与えるターニング制御装置２０を備えたものである。
【００３２】
このように、本実施形態に係るタービン発電機のターニング装置は、磁極検出器１９ａ，１９ｂ，…から検出した磁極検出信号を基にして駆動電動機１７に可変速制御装置１１ａを介して変更駆動力を与えるターニング制御装置２０を備えたので、磁極反転操作をより一層容易に行うことができ、作業員の労力をより一層軽減させることができる。
【００３３】
図４は、クロスコンパウンド機に適用する本発明に係るタービン発電機のターニング装置の第４実施形態を示す概略系統ブロック図である。
【００３４】
本実施形態に係るタービン発電機のターニング装置は、プライマリ機用発電機ロータ１とセカンダリ機用発電機ロータ２との同期操作と運転停止中のプライマリ機用発電機ロータ１およびセカンダリ機用発電機ロータ２の自重等による曲り等を防止する磁極反転操作のそれぞれを自動的に行えるようにしたものであり、第１実施形態に示す構成と同様に、ターニング同期監視装置１０、同期指示計９、二軸同期マスタ１４、二軸同期制御装置１２、可変速制御装置１１、切替器１３を磁極検出信号の流れに沿って順に備えるとともに、第３実施形態に示す構成と同様に、プライマリ機用磁極検出器７ａ，７ｂ，７ｃ，…およびセカンダリ機用磁極検出器８ａ，８ｂ，８ｃ，…のそれぞれから検出した磁極検出信号を基にしてプライマリ機用の駆動電動機６ａおよびセカンダリ機用の駆動電動機６ｂのそれぞれに可変速制御装置１１を介して変更駆動力を与えるターニング制御装置２０を備えたものである。
【００３５】
したがって、本実施形態に係るタービン発電機のターニング装置では、二軸同期操作の失敗のない、より一層の確実性を増し、同期成立性の迅速化を図ることができ、磁極反転操作をより一層容易に行うことができる。
【００３６】
図５は、クロスコンパウンド機に適用する本発明に係るタービン発電機のターニング装置の第５実施形態を示す概略系統ブロック図である。
【００３７】
本実施形態に係るタービン発電機のターニング装置は、プライマリ機用発電機ロータ１とセカンダリ機用発電機ロータ２との同期操作と運転停止中のプライマリ機用発電機ロータ１およびセカンダリ機用発電機ロータ２の自重等による曲り等を防止する磁極反転操作のそれぞれを自動的に行えるようにしたものであり、第２実施形態に示す構成と同様に、ターニング同期監視装置１０、同期指示計９、二軸同期マスタ１４、二軸同期制御装置１２、プライマリ機用およびセカンダリ機用駆動電動機６ａ，６ｂのそれぞれに設けた可変速制御装置１１ａ，１１ｂ、切替器１３を磁極検出信号の流れに沿って順に備えるとともに、第３実施形態に示す構成と同様に、プライマリ機用磁極検出器７ａ，７ｂ，７ｃ，…およびセカンダリ機用磁極検出器８ａ，８ｂ，８ｃ，…のそれぞれから検出した磁極検出信号を基にしてプライマリ機用の駆動電動機６ａおよびセカンダリ機用の駆動電動機６ｂのそれぞれに可変速制御装置１１ａ，１１ｂを介して変更駆動力を与えるターニング制御装置２０を備えたものである。
【００３８】
したがって、本実施形態に係るタービン発電機のターニング装置では、二軸同期操作の失敗のない、より一層の確実性を増し、同期成立性の迅速化を図ることができ、磁極反転操作をより一層容易に行うことができる。
【図面の簡単な説明】
【００３９】
【図１】本発明に係るタービン発電機のターニング装置の第１実施形態を示す概略系統ブロック図。
【図２】本発明に係るタービン発電機のターニング装置の第２実施形態を示す概略系統ブロック図。
【図３】本発明に係るタービン発電機のターニング装置の第３実施形態を示す概略系統ブロック図。
【図４】本発明に係るタービン発電機のターニング装置の第４実施形態を示す概略系統ブロック図。
【図５】本発明に係るタービン発電機のターニング装置の第５実施形態を示す概略系統ブロック図。
【符号の説明】
【００４０】
１  プライマリ機用発電機ロータ
２  セカンダリ機用発電機ロータ
３  プライマリ機用ターニング装置
４  セカンダリ機用ターニング装置
５ａ，５ｂ  歯車列
６ａ，６ｂ  駆動電動機
７ａ，７ｂ，７ｃ  プライマリ機用磁極検出器
８ａ，８ｂ，８ｃ  セカンダリ機用磁極検出器
９  同期指示計
９ａ  外円指示部
９ｂ  内円指示部
１０  ターニング同期監視装置
１１，１１ａ，１１ｂ  可変速制御装置
１２  二軸同期制御装置
１３  切替器
１４  二軸同期マスタ
１５  発電機ロータ
１６  歯車列
１７  駆動電動機
１８  ターニング装置
１９ａ，１９ｂ，１９ｃ  磁極検出器
２０  ターニング制御装置
【図１】
2005214145.tif 000003
【図２】
2005214145.tif 000004
【図３】
2005214145.tif 000005
【図４】
2005214145.tif 000006
【図５】
2005214145.tif 000007